(57)【要約】【課題】  録画中に、別のタイトルを再生して、そのタイトルの再生を停止したとき、再生タイトルの再生停止位置にチャプタを作成することができるようにする。【解決手段】  録画中に、タイトルの再生を停止したとき、再生タイトルの再生停止位置にチャプタを作成する停止自動チャプタのＯＮ／ＯＦＦの設定値を設定して、設定された停止自動チャプタの設定値を記憶し、タイトルの再生を停止したとき、停止自動チャプタの設定値に基づいて再生タイトルの再生停止位置にチャプタを作成して、リジュームＯＮを停止するようにする。【選択図】        図５
2007157272.tif 000002
【特許請求の範囲】
【請求項１】
記録媒体にタイトルの映像音声信号を録画再生する録画再生装置であって、
録画中に、タイトルの再生を停止したとき、再生タイトルの再生停止位置にチャプタを作成する停止自動チャプタのＯＮ／ＯＦＦの設定値を設定する設定手段と、前記設定手段により設定された停止自動チャプタの設定値を記憶する記憶手段と、前記記憶手段に記憶されている停止自動チャプタがＯＮに設定されている場合、タイトルの再生を停止したとき、再生タイトルに作成されたチャプタ数が所定チャプタ数を越えていない場合に、再生タイトルの再生停止位置にチャプタを作成するチャプタ作成手段と、タイトルの再生を停止したとき、リジュームＯＮを停止するリジュームＯＮ停止手段とを備えたことを特徴とする録画再生装置。
【請求項２】
記録媒体にタイトルの映像音声信号を録画再生する録画再生装置であって、
録画中に、タイトルの再生を停止したとき、再生タイトルの再生停止位置にチャプタを作成する停止自動チャプタのＯＮ／ＯＦＦの設定値を設定する設定手段と、前記設定手段により設定された停止自動チャプタの設定値を記憶する記憶手段と、タイトルの再生を停止したとき、前記記憶手段に記憶されている停止自動チャプタの設定値に基づいて再生タイトルの再生停止位置にチャプタを作成するチャプタ作成手段と、タイトルの再生を停止したとき、リジュームＯＮを停止するリジュームＯＮ停止手段とを備えたことを特徴とする録画再生装置。
【請求項３】
前記チャプタ作成手段は、前記記憶手段に記憶されている停止自動チャプタがＯＮに設定されている場合、タイトルの再生を停止したとき、再生タイトルの再生停止位置にチャプタを作成するチャプタ作成手段であることを特徴とする請求項２記載の録画再生装置。
【請求項４】
前記チャプタ作成手段は、再生タイトルに作成されたチャプタ数が所定チャプタ数を越えていない場合に、再生タイトルの再生停止位置にチャプタを作成するチャプタ作成手段であることを特徴とする請求項３記載の録画再生装置。
【発明の詳細な説明】
【技術分野】
【０００１】
本発明は、記録媒体にタイトルの映像音声信号を録画再生する録画再生装置に係り、特に記録媒体に録画されたタイトルの再生を停止したときに、再生タイトルの再生停止位置にチャプタを作成することができる録画再生装置に関する。
【背景技術】
【０００２】
一般に、テレビ放送番組の放送中に、そのテレビ放送番組が視聴できない場合、そのテレビ放送番組をビデオカセットテープにタイマ予約録画して、ビデオカセットテープに録画されたテレビ放送番組を再生して放送中に視聴できなかったテレビ放送番組を視聴するということが行われている。また、最近、ビデオテープよりも長時間のテレビ放送番組を録画することができる大容量の記録容量を有するＨＤＤ（Ｈａｒｄ  Ｄｉｓｋ  Ｄｒｉｖｅ）装置を搭載した録画再生装置が普及してきている。ハードディスク装置を搭載した録画再生装置は、ハードディスクにテレビ放送番組を録画中に、ハードディスクに録画された別のタイトルの映像音声信号を再生することができるようになっている。しかし、ハードディスクにテレビ放送番組を録画しているときに、ハードディスクに録画された別のタイトルを再生して、そのタイトルの再生を停止した場合、パワーＯＦＦリジューム機能が働かないため、再生を途中で停止したタイトルを続きから再生する場合、複数の操作キーを操作してタイトルの再生を停止した位置から再生を再開しなければならないという煩わしい問題点があった。また、リジュームＯＮ状態でテレビ放送番組のタイマ予約録画が終了している場合に、或いは、リジュームＯＮ状態でタイトルの再生中にユーザが眠ってしまって、タイトルの再生が終了している場合に、ユーザが誤って停止キーを操作した場合、リジュームＯＮ機能が解除されてリジューム情報が消去されるため、タイトルを続きから再生する場合、リモコン装置に設けられた複数の操作キーを操作してタイトルの再生を停止した位置からタイトルの再生を再開しなければならないという煩わしい問題点があった。また、ハードディスク装置を搭載した録画再生装置には、ハードディスクに記録されたタイトルの再生中に、タイトルの再生時間が一定時間経過する毎にチャプタを自動的に作成する機能がある。しかし、再生中のタイトルの再生時間が一定時間経過する毎に再生中のタイトルにチャプタが自動的に作成されても、タイトルの所望の位置にチャプタを作成するためには、ユーザが編集作業を行わなければならないという問題点があった。
背景技術としては、再生中断時に、再生中断時刻を含む情報を記憶して、リジューム再生時に、再生中断時刻までをチャプタ毎に一定時間ダイジェスト再生し、再生中断箇所から通常再生するようにしたものがあった（例えば、特許文献１参照）。
また、再生位置とユーザ情報とをリジューム情報として再生中の記録媒体に記録して、キー入力されたユーザ情報、タイトルを特定する情報と一致するリジューム情報が記録媒体に記録されている場合に、そのリジューム情報にしたがって再生を開始するようにしたものがあった（例えば、特許文献２参照）。
また、再生停止時に、停止位置情報及び再生設定情報を光ディスクに記録して、光ディスクが装着されたとき、光ディスクに記録されている停止位置情報及び再生設定情報を読み出してリジューム再生するようにしたものがあった（例えば、特許文献３参照）。
【特許文献１】特開平１１−２７３２２７号公報
【特許文献２】特開２００５−１２９０９３号公報
【特許文献３】特開２００５−１８２８８４号公報
【発明の開示】
【発明が解決しようとする課題】
【０００３】
しかしながら、背景技術で述べたもののうち最初のものにおいては、再生中断時に、再生中断時刻を含む情報を記憶して、リジューム再生時に、再生中断時刻までをチャプタ毎に一定時間ダイジェスト再生し、再生中断箇所から通常再生することができたが、再生を中断した箇所から再生を再開する場合に、再生を中断した箇所以前の部分をチャプタ毎に一定時間ダイジェスト再生し、再生中断箇所から通常再生するようにしたものであって、上記問題点を解決するようにしたものではなかった。
また、次のものにおいては、再生位置とユーザ情報とをリジューム情報として再生中の記録媒体に記録して、キー入力されたユーザ情報、タイトルを特定する情報と一致するリジューム情報が記録媒体に記録されている場合に、そのリジューム情報にしたがって再生を開始することができたが、複数のユーザで共有記録媒体を利用する場合に、各ユーザが記録情報の再生を中断した後、再生を再開する際に、ユーザ毎に再生を中断した箇所から再生することができるようにしたものであって、上記問題点を解決するようにしたものではなかった。
また、更にその次のものにおいては、再生停止時に、停止位置情報及び再生設定情報を光ディスクに記録して、光ディスクが装着されたとき、光ディスクに記録されている停止位置情報及び再生設定情報を読み出してリジューム再生することができたが、光ディスクの再生を停止した停止位置情報を光ディスクに書き込んで、再生停止を行ったディスク再生装置以外の再生装置でリジューム再生することができるようにしたものであって、上記問題点を解決するようにしたものではなかった。
本発明は、背景技術の有するこのような問題点に鑑みてなされたものであり、その目的とするところは、録画中に、別のタイトルを再生して、そのタイトルの再生を停止したとき、再生タイトルの再生停止位置にチャプタを作成することができる録画再生装置を提供しようとするものである。
【課題を解決するための手段】
【０００４】
上記目的を達成するため本発明においては、記録媒体にタイトルの映像音声信号を録画再生する録画再生装置であって、録画中に、タイトルの再生を停止したとき、再生タイトルの再生停止位置にチャプタを作成する停止自動チャプタのＯＮ／ＯＦＦの設定値を設定する設定手段と、前記設定手段により設定された停止自動チャプタの設定値を記憶する記憶手段と、タイトルの再生を停止したとき、前記記憶手段に記憶されている停止自動チャプタの設定値に基づいて再生タイトルの再生停止位置にチャプタを作成するチャプタ作成手段と、タイトルの再生を停止したとき、リジュームＯＮを停止するリジュームＯＮ停止手段とを備える。
前記チャプタ作成手段は、前記記憶手段に記憶されている停止自動チャプタがＯＮに設定されている場合、タイトルの再生を停止したとき、再生タイトルの再生停止位置にチャプタを作成するようにする。
また、前記チャプタ作成手段は、再生タイトルに作成されたチャプタ数が所定チャプタ数を越えていない場合に、再生タイトルの再生停止位置にチャプタを作成するようにする。
これらの手段により、録画中に、別のタイトルを再生して、そのタイトルの再生を停止したとき、再生タイトルの再生停止位置にチャプタを作成することができる。
【発明の効果】
【０００５】
請求項１記載の発明に係る録画再生装置によれば、録画中に、タイトルの再生を停止したとき、再生タイトルの再生停止位置にチャプタを作成する停止自動チャプタのＯＮ／ＯＦＦの設定値を設定して、設定された停止自動チャプタの設定値を記憶し、停止自動チャプタがＯＮに設定されている場合、タイトルの再生を停止したとき、再生タイトルに作成されたチャプタ数が所定チャプタ数を越えていない場合に、再生タイトルの再生停止位置にチャプタを作成して、リジュームＯＮを停止するするようにしているので、自動チャプタをＯＮに設定することにより、録画中に、別のタイトルを再生して、そのタイトルの再生を停止したとき、再生タイトルの再生停止位置にチャプタを作成することができ、また、再生タイトルに必要以上のチャプタを作成しないようにすることができる。
請求項２記載の発明に係る録画再生装置によれば、録画中に、タイトルの再生を停止したとき、再生タイトルの再生停止位置にチャプタを作成する停止自動チャプタのＯＮ／ＯＦＦの設定値を設定して、設定された停止自動チャプタの設定値を記憶し、タイトルの再生を停止したとき、停止自動チャプタの設定値に基づいて再生タイトルの再生停止位置にチャプタを作成して、リジュームＯＮを停止するようにしているので、録画中に、別のタイトルを再生して、そのタイトルの再生を停止したとき、再生タイトルの再生停止位置にチャプタを作成する停止自動チャプタのＯＮ／ＯＦＦを選択して、再生タイトルの再生停止位置にチャプタを作成することができる。
請求項３記載の発明に係る録画再生装置によれば、停止自動チャプタがＯＮに設定されている場合、タイトルの再生を停止したとき、再生タイトルの再生停止位置にチャプタを作成するようにしているので、停止自動チャプタをＯＮにすることにより、録画中に、別のタイトルを再生して、そのタイトルの再生を停止したとき、再生タイトルの再生停止位置にチャプタを作成することができる。
請求項４記載の発明に係る録画再生装置によれば、再生タイトルに作成されたチャプタ数が所定チャプタ数を越えていない場合に、再生タイトルの再生停止位置にチャプタを作成するようにしているので、再生タイトルに必要以上のチャプタを作成しないようにすることができる。
【発明を実施するための最良の形態】
【０００６】
以下、適宜図面を参照しながら本発明を実施するための最良の形態を詳述する。図１は本発明の一実施例の録画再生装置の構成を示すブロック図であり、図２は本発明の一実施例の録画再生装置のリモコン装置を示す説明図であり、図３は本発明の一実施例の録画再生装置の自動チャプタ作成機能の設定画面の表示例を示す図であり、図４は本発明の一実施例の録画再生装置の自動チャプタ作成機能の設定動作を示すフローチャートであり、図５は本発明の一実施例の録画再生装置の再生動作を示すフローチャートである。
まず、図１の本発明の一実施例の録画再生装置の構成を示すブロック図を基に説明する。
録画再生装置１は、アンテナ１０により受信されたテレビ放送電波から選択されたチャンネルのテレビ放送を受信するチューナ２と、映像音声信号の圧縮、伸張、複合、符号化等の信号処理を行う信号処理回路３と、文字情報信号を映像信号に重畳して文字情報をモニタ装置３０の画面に表示するＯＳＤ（Ｏｎ−Ｓｃｒｅｅｎ  Ｃｈａｒａｃｔｅｒ  Ｄｉｓｐｌａｙ）回路４と、映像音声信号をハードディスクに録画再生するＨＤＤ（Ｈａｒｄ  Ｄｉｓｋ  Ｄｒｉｖｅ）部５と、録画再生装置１のシステム全体を制御するマイコン６と、日付と時刻とを管理し、タイマ機能を有する時計回路７と、録画再生装置１の各種設定値を記憶する不揮発性メモリのフラッシュＲＯＭ（Ｒｅａｄ−Ｏｎｌｙ  Ｍｅｍｏｒｙ）８と、リモコン装置２０から送信された赤外線信号のリモコン信号を受信して所定の電気信号に変換するリモコン受信部９とで構成されている。
また、リモコン装置２０には、図２に示すように、メニュ画面の表示を指令するメニュキー２０ａ、メニュ画面等に表示された選択項目を選択するカーソルキー２０ｂ、カーソルキー２０ｂにより選択された選択項目の選択を決定する決定キー２０ｃ、ハードディスクに録画されたタイトルの再生を指令する再生キー２０ｄ、タイトルの再生停止を指令する停止キー２０ｅ等の複数の操作キーが設けられていて、それらの操作キーを操作することにより録画再生装置１を所望動作させることができるようになっている。
以上のように構成された録画再生装置について、以下その動作について説明する。
リモコン装置２０のメニュキー２０ａの操作によりメニュ画面の表示が指令され、リモコン装置２０のカーソルキー２０ｂと決定キー２０ｃとの操作によりメニュ画面（図示せず）の自動チャプタ作成機能の設定が選択されると、マイコン６は、文字情報信号と制御信号とをＯＳＤ回路４に送出して、自動チャプタ作成機能の設定画面をモニタ装置３０の画面３０ａに表示する（図３参照）。リモコン装置２０のカーソルキー２０ｂの操作により、自動チャプタ作成機能の設定画面に表示された、タイトルの再生を停止したときにチャプタを自動的に作成する停止自動チャプタ（ＳＴＯＰ  ＡＵＴＯ  ＣＨＡＰＴＥＲ）のＯＮ／ＯＦＦの設定値、再生中のタイトルの再生時間が一定時間経過する毎にチャプタを自動的に作成する自動チャプタ（ＡＵＴＯ  ＣＨＡＰＴＥＲ）のＯＮ／ＯＦＦの設定値が選択されると、マイコン６は、文字情報信号と制御信号とをＯＳＤ回路４に送出して、選択された選択項目をハイライト表示する（図３参照。なお、図３において、ハイライト表示を枠表示で示している）。そして、リモコン装置２０のカーソルキー２０ｂと決定キー２０ｃとの操作により自動チャプタ作成機能の設定値の設定が選択されると、マイコン６は、設定された自動チャプタ作成機能の設定値をフラッシュＲＯＭ８に記憶する。また、自動チャプタ作成機能の設定画面の設定値を選択した後に、自動チャプタ作成機能の設定画面の取消を選択することにより、選択された自動チャプタ作成機能の設定値の変更を取り消すことができるようになっている。
リモコン装置２０の再生キー２０ｄの操作によりＨＤＤ部５のハードディスクに記録されたタイトルの再生が指令されると、マイコン６は、ＨＤＤ部５、信号処理回路３に制御信号を送出して、ＨＤＤ部５のハードディスクに記録されたタイトルを再生する。
再生中のタイトルの再生時間が一定時間、例えば、５分又は１０分経過する毎に、時計回路７から送出されるタイマ信号を受信すると、マイコン６は、フラッシュＲＯＭ８に記憶されている停止自動チャプタの設定値がＯＮに設定されているか否かを判別する。そして、停止自動チャプタがＯＮに設定されていない場合、マイコン６は、フラッシュＲＯＭ８に記憶されている自動チャプタの設定値がＯＮに設定されているか否かを判断して、自動チャプタの設定値がＯＮに設定されている場合、ＨＤＤ部５に制御信号を送出して、タイトルの再生位置にチャプタを作成してＨＤＤ部５のハードディスクに記録する。なお、停止自動チャプタの設定値がＯＮに設定されている場合、自動チャプタの設定値がＯＮに設定されていても、再生中のタイトルにチャプタを作成しないようになっている。
リモコン装置２０の停止キー２０ｅが操作されると、マイコン６は、ＨＤＤ部５に制御信号を送出して、ＨＤＤ部５のハードディスクに記録されたタイトルの再生を停止する。そして、マイコン６は、フラッシュＲＯＭ８に記憶されている停止自動チャプタの設定値がＯＮに設定されているか否かを判別して、停止自動チャプタの設定値がＯＮに設定されている場合に、再生タイトルに作成されたチャプタ数が所定チャプタ数、例えば、９９９チャプタを越えていない場合、再生タイトルの再生停止位置にチャプタを作成してＨＤＤ部５のハードディスクに記録し、録画再生装置１のリジュームＯＮを停止する。これにより、録画中に、別のタイトルを再生して、そのタイトルの再生を停止したとき、再生タイトルの再生停止位置にチャプタを作成することができ、再生を途中で停止したタイトルを続きから再生する場合、再生停止時に作成されたチャプタからそのタイトルの再生を再開することができる。
また、図４の本発明の一実施例の録画再生装置の自動チャプタ作成機能の設定動作を示すフローチャートを基に説明する。
リモコン装置のカーソルキーと決定キーとの操作によりメニュ画面の自動チャプタ作成機能の設定が選択されると、ステップＳ１からステップＳ２に進み、ステップＳ２で、自動チャプタ作成機能の設定画面が表示されて、ステップＳ３に進む。
ステップＳ３で、リモコン装置のカーソルキーと決定キーとの操作により自動チャプタ作成機能の設定の取消が選択されたか否かが判断され、自動チャプタ作成機能の設定の取消が選択された場合、ステップＳ８に進んで処理を終了し、自動チャプタ作成機能の設定の取消が選択されていない場合、ステップＳ４に進む。
ステップＳ４で、リモコン装置のカーソルキーの操作により自動チャプタ作成機能の設定値が選択されたか否かが判断され、自動チャプタ作成機能の設定値が選択された場合、ステップＳ５に進み、自動チャプタ作成機能の設定値が選択されていない場合、ステップＳ３に戻って、ステップＳ３からのステップを繰り返す。
ステップＳ５で、選択された自動チャプタ作成機能の設定値がハイライト表示されて、ステップＳ６に進む。
ステップＳ６で、リモコン装置のカーソルキーと決定キーとの操作により自動チャプタ作成機能の設定値の設定が選択されたか否かが判断され、自動チャプタ作成機能の設定値の設定が選択された場合、ステップＳ７に進み、自動チャプタ作成機能の設定値の設定が選択されていない場合、ステップＳ３に戻って、ステップＳ３からのステップを繰り返す。
ステップＳ７で、設定された自動チャプタ作成機能の設定値がフラッシュＲＯＭに記憶されて、ステップＳ８に進んで処理を終了する。
また、図５の本発明の一実施例の録画再生装置の再生動作を示すフローチャートを基に説明する。
リモコン装置の再生キーの操作によりハードディスクに記録されたタイトルの再生が指令されると、ステップＳ１１からステップＳ１２に進み、ステップＳ１２で、ハードディスクに記録されたタイトルが再生され、ステップＳ１３に進む。
ステップＳ１３で、再生中のタイトルの再生時間が一定時間経過したか否かが判断され、再生中のタイトルの再生時間が一定時間経過した場合、ステップＳ１４に進み、再生中のタイトルの再生時間が一定時間経過していない場合、ステップＳ１７に進む。
ステップＳ１４で、停止自動チャプタの設定値がＯＮに設定されているか否かが判断され、停止自動チャプタの設定値がＯＮに設定されている場合、ステップＳ１７に進み、停止自動チャプタの設定値がＯＮに設定されていない場合、ステップＳ１５に進む。
ステップＳ１５で、自動チャプタの設定値がＯＮに設定されているか否かが判断され、自動チャプタの設定値がＯＮに設定されている場合、ステップＳ１６に進み、自動チャプタの設定値がＯＮに設定されていない場合、ステップＳ１７に進む。
ステップＳ１６で、タイトルの再生位置にチャプタが作成されてハードディスクに記録され、ステップＳ１７に進む。
ステップＳ１７で、リモコン装置の停止キーが操作されたか否かが判断され、リモコン装置の停止キーが操作された場合、ステップＳ１８に進み、リモコン装置の停止キーが操作されていない場合、ステップＳ１２に戻って、ステップＳ１２からのステップを繰り返す。
ステップＳ１８で、タイトルの再生が停止されて、ステップＳ１９に進む。
ステップＳ１９で、停止自動チャプタの設定値がＯＮに設定されているか否かが判断され、停止自動チャプタの設定値がＯＮに設定されている場合、ステップＳ２０に進み、停止自動チャプタの設定値がＯＮに設定されていない場合、ステップＳ２２に進む。
ステップＳ２０で、再生タイトルに作成されたチャプタ数が所定チャプタ数を越えているか否かが判断され、再生タイトルに作成されたチャプタ数が所定チャプタ数を越えていない場合、ステップＳ２１に進み、再生タイトルに作成されたチャプタ数が所定チャプタ数を越えている場合、ステップＳ２２に進む。
ステップＳ２１で、再生タイトルの再生停止位置にチャプタが作成されてハードディスクに記録され、ステップＳ２２に進む。
ステップＳ２２で、録画再生装置のリジュームＯＮが停止されて、ステップＳ２３に進んで処理を終了する。
以上、本発明を実施するための最良の形態について詳述したが、本発明はこれに限定されるものではなく、当業者の通常の知識の範囲内でその変形や改良が可能であることはいうまでもない。例えば、ハードディスクに記録されたタイトルの再生を停止したとき、そのタイトルの再生停止位置にチャプタを自動的に作成してハードディスクに記録することを説明したが、本発明は、光ディスク記録再生装置、ビデオカセット装置等の他の録画再生装置に適用することができる。
【図面の簡単な説明】
【０００７】
【図１】本発明の一実施例の録画再生装置の構成を示すブロック図である。
【図２】本発明の一実施例の録画再生装置のリモコン装置を示す説明図である。
【図３】本発明の一実施例の録画再生装置の自動チャプタ作成機能の設定画面の表示例を示す図である。
【図４】本発明の一実施例の録画再生装置の自動チャプタ作成機能の設定動作を示すフローチャートである。
【図５】本発明の一実施例の録画再生装置の再生動作を示すフローチャートである。
【符号の説明】
【０００８】
１  録画再生装置
２  チューナ
３  信号処理回路
４  ＯＳＤ回路
５  ＨＤＤ部
６  マイコン
７  時計回路
８  フラッシュＲＯＭ
９  リモコン受信部
１０  アンテナ
２０  リモコン装置
２０ａ  メニュキー
２０ｂ  カーソルキー
２０ｃ  決定キー
２０ｄ  テンキー
２０ｅ  録画キー
２０ｆ  再生キー
２０ｇ  停止キー
３０  モニタ装置
３０ａ  画面
【図１】
2007157272.tif 000003
【図２】
2007157272.tif 000004
【図３】
2007157272.tif 000005
【図４】
2007157272.tif 000006
【図５】
2007157272.tif 000007